(57)【要約】【課題】ＧＣＲ（Ｇｒａｙ  Ｃｏｍｐｏｎｅｎｔ  Ｒｅｐｌａｃｅｍｅｎｔ）特性のハンドリングを容易化する。【解決手段】出力装置４への出力用の一つのホットフォルダに対して、当該出力用のホットフォルダを出力先とする複数のカラースペース変換用のホットフォルダを設け、これら複数のカラースペース変換用のホットフォルダに対して同じ出力装置４のカラープロファイルデータテーブルに登録された異なるＧＣＲ特性を有するカラープロファイルを割り当てる。カラースペース変換用のホットフォルダに格納されたドキュメントデータは、そのホットフォルダに割り当てられたカラープロファイルに従って色データがＣＭＹＫによる色空間上の色データに変換された後、出力用のホットフォルダを介して出力装置４に送られる。出力装置４は、受け取ったドキュメントデータを色分解し、ＣＭＹＫ各色の色版を出力する。【選択図】図５
2004179843.tif 000002
【特許請求の範囲】
【請求項１】
ドキュメントのＣＭＹＫ各色の色版を出力する製版システムであって、
ページ記述言語で記述された前記ドキュメントのページレイアウトを示すドキュメントデータをＣＭＹＫ各色へ色分解して、前記ドキュメントのＣＭＹＫ各色毎の色版を出力する出力装置と、
前記出力装置における出力を制御する製版サーバとを備え、
前記製版サーバは、
前記ドキュメントデータの出力の依頼を受け付ける出力依頼受入手段と、
前記出力依頼受入手段が出力の依頼を受け付けたドキュメントデータに含まれる色表現データに対して、複数色の混色によるグレイ成分の表現をＫによるグレイ成分の表現へ変換する変換処理を施す変換手段と、
前記変換手段が変換処理を施したドキュメントデータの前記出力装置における出力を制御する出力制御手段とを有することを特徴とする製版システム。
【請求項２】
ドキュメントのＣＭＹＫ各色の色版を出力する製版システムであって、
ページ記述言語で記述された前記ドキュメントのページレイアウトを示すドキュメントデータをＣＭＹＫ各色へ色分解して、前記ドキュメントのＣＭＹＫ各色毎の色版を出力する出力装置と、
前記出力装置における出力を制御する製版サーバとを備え、
前記製版サーバは、
前記ドキュメントデータの出力の依頼を受け付ける出力依頼受入手段と、
前記出力依頼受入手段が出力の依頼を受け付けたドキュメントデータが示すドキュメント構成要素に対してドキュメント構成要素の種類に応じて選択的に、ドキュメント構成要素の色表現データに対するＧＣＲ（Ｇｒａｙ  Ｃｏｍｐｏｎｅｎｔ  Ｒｅｐｌａｃｅｍｅｎｔ）処理を施すＧＣＲ手段と、
前記ＧＣＲ手段がＧＣＲ処理を施したドキュメントデータの前記出力装置における出力を制御する出力制御手段とを有することを特徴とする製版システム。
【請求項３】
ドキュメントのＣＭＹＫ各色の色版を出力する製版システムであって、
ページ記述言語で記述された前記ドキュメントのページレイアウトを示すドキュメントデータをＣＭＹＫ各色へ色分解して、前記ドキュメントのＣＭＹＫ各色毎の色版を出力する出力装置と、
前記出力装置における出力を制御する製版サーバとを備え、
前記製版サーバは、
前記ドキュメントデータの出力の依頼を受け付ける出力依頼受入手段と、
前記出力依頼受入手段が出力の依頼を受け付けたドキュメントデータが示すドキュメント構成要素に対してドキュメント構成要素の種類に応じて選択的に、ドキュメント構成要素の色表現データに対する所定のＧＣＲ（Ｇｒａｙ  Ｃｏｍｐｏｎｅｎｔ  Ｒｅｐｌａｃｅｍｅｎｔ）特性を有するカラースペース変換と、他の所定の特性を有するカラースペース変換とのいずれかを施すカラースペース変換手段と、
前記カラースペース変換手段が、カラースペース変換を施したドキュメントデータの前記出力装置における出力を制御する出力制御手段とを有することを特徴とする製版システム。
【請求項４】
ドキュメントのＣＭＹＫ各色の色版を出力する製版システムであって、
前記ドキュメントを表すドキュメントデータに基づき前記ドキュメントのＣＭＹＫ各色毎の色版を出力する１または複数の出力装置と、
前記出力装置における出力を制御する製版サーバとを備え、
前記製版サーバは、
同じ前記出力装置に対応づけて設けられた、複数色の混色によるグレイ成分の表現をＫによるグレイ成分の表現へ変換する変換の変換特性として、各々異なる変換特性が定義された複数のホットフォルダと、
前記各ホットフォルダに格納されたドキュメントデータに対して、当該ホットフォルダに定義されている変換特性に従って、複数色の混色によるグレイ成分の表現をＫによるグレイ成分の表現へ変換する変換処理を施す変換手段と、
前記変換手段が変換処理を施したドキュメントデータの、当該ドキュメントデータが格納された前記ホットフォルダに対応づけられた前記出力装置における出力を制御する出力制御手段とを有することを特徴とする製版システム。
【請求項５】
ドキュメントのＣＭＹＫ各色の色版を出力する製版システムであって、
前記ドキュメントを表すドキュメントデータに基づき前記ドキュメントのＣＭＹＫ各色毎の色版を出力する１または複数の出力装置と、
前記出力装置における出力を制御する製版サーバとを備え、
前記製版サーバは、
同じ前記出力装置に対応づけて設けられた、各々異なるＧＣＲ（Ｇｒａｙ  Ｃｏｍｐｏｎｅｎｔ  Ｒｅｐｌａｃｅｍｅｎｔ）特性が定義された複数のホットフォルダと、
前記各ホットフォルダに格納されたドキュメントデータに対して、当該ホットフォルダに定義されているＧＣＲ特性を用いたＧＣＲ処理を施すＧＣＲ手段と、
前記ＧＣＲ手段がＧＣＲ処理を施したドキュメントデータの、当該ドキュメントデータが格納された前記ホットフォルダに対応づけられた前記出力装置における出力を制御する出力制御手段とを有することを特徴とする製版システム。
【請求項６】
ドキュメントのＣＭＹＫ各色の色版を出力する製版システムであって、
前記ドキュメントを表すドキュメントデータに基づき前記ドキュメントのＣＭＹＫ各色毎の色版を出力する１または複数の出力装置と、
前記出力装置における出力を制御する製版サーバとを備え、
前記製版サーバは、
同じ前記出力装置に対応づけて設けられた、各々異なるカラープロファイルが定義された複数のホットフォルダと、
前記ホットフォルダに格納されたドキュメントデータに対して、当該ホットフォルダに定義されているカラープロファイルに従ったカラースペース変換を施すカラースペース変換手段と、
前記カラースペース変換手段がカラースペース変換を施したドキュメントデータを、当該ドキュメントデータが格納された前記ホットフォルダに対応づけられた前記出力装置における出力を制御する出力制御手段とを有し、
前記複数のホットフォルダに定義されるカラープロファイルは、各々異なるＧＣＲ（Ｇｒａｙ  Ｃｏｍｐｏｎｅｎｔ  Ｒｅｐｌａｃｅｍｅｎｔ）特性を用いたＣＭＹＫ色空間へのカラースペース変換を規定するものであることを特徴とする製版システム。
【請求項７】
ドキュメントのＣＭＹＫ各色の色版を出力する出力装置における出力を制御する製版サーバであって、
ページ記述言語でページレイアウトが記述されたドキュメントデータの出力の依頼を受け付ける出力依頼受入手段と、
前記出力依頼受入手段が出力の依頼を受け付けたドキュメントデータに含まれる色表現データに対して、複数色の混色によるグレイ成分の表現をＫによるグレイ成分の表現へ変換する変換処理を施す変換手段と、
前記変換手段が変換処理を施した後の、ページ記述言語で記述されたドキュメントデータの、前記出力装置における出力を制御する出力制御手段とを有することを特徴とする製版サーバ。
【請求項８】
コンピュータによって読み取られ実行されるコンピュータプログラムであって、
当該コンピュータプログラムは、前記コンピュータを、
ページ記述言語でページレイアウトが記述されたドキュメントデータのＣＭＹＫ各色の色版の、出力の依頼を受け付ける出力依頼受入手段と、
前記出力依頼受入手段が出力の依頼を受け付けたドキュメントデータに含まれる色表現データに対して、複数色の混色によるグレイ成分の表現をＫによるグレイ成分の表現へ変換する変換処理を施す変換手段と、
前記変換手段が変換処理を施した後の、ページ記述言語でページレイアウトが記述されたドキュメントデータの、ドキュメントのＣＭＹＫ各色の色版を出力する出力装置における出力を制御する出力制御手段として機能させることを特徴とするコンピュータプログラム。
【請求項９】
ドキュメントを示すドキュメントデータに基づき前記ドキュメントのＣＭＹＫ各色の色版を出力する出力装置を用いた製版工程において、グレイ成分を表すＣＭＹとＫの濃度レベル比を制御する製版工程における墨濃度レベル制御方法であって、
前記出力装置に対して、複数色の混色によるグレイ成分の表現をＫによるグレイ成分の表現への置換を含むＣＭＹＫ色空間へのカラースペース変換を規定する、各々前記置換の特性が異なる複数のカラープロファイルを作成するステップと、
所望の墨濃度レベルに応じて前記複数のカラープロファイルの内から一つのカラープロファイルを選択するステップと、
前記ドキュメントデータに対して、選択したカラープロファイルに従ったカラースペース変換を施すステップと、
前記カラースペース変換を施したドキュメントデータが示すドキュメントの前記ＣＭＹＫ各色の色版を前記出力装置に出力させるステップとを有することを特徴とする製版工程における墨濃度レベル制御方法。
【請求項１０】
ページ記述言語で記述されたドキュメントのページレイアウトを示すドキュメントデータに基づいて前記ドキュメントのＣＭＹＫ各色毎の色版を出力する製版方法であって、
ドキュメントデータに含まれるＣＭＹＫによる色表現データに対して、複数色の混色によるグレイ成分の表現のＫによるグレイ成分への表現の変換を施すステップと、
前記変換を施したドキュメントデータに基づいて前記ドキュメントのＣＭＹＫ各色毎の色版を出力するステップとを有することを特徴とする製版方法。
【請求項１１】
ページ記述言語で記述されたドキュメントのページレイアウトを示すドキュメントデータをＣＭＹＫ各色へ色分解して、前記ドキュメントのＣＭＹＫ各色毎の色版を出力する色製版方法であって、
前記ドキュメントデータが示すドキュメント構成要素に対してドキュメント構成要素の種類に応じて選択的に、ドキュメント構成要素の色表現データに対する複数色の混色によるグレイ成分の表現のＫによるグレイ成分の表現への変換を施すステップと、
前記変換を施したドキュメントデータに基づいて前記ドキュメントのＣＭＹＫ各色毎の色版を出力するステップとを有することを特徴とする製版方法。
【発明の詳細な説明】
【０００１】
【発明の属する技術分野】
本発明は、製版工程におけるカラーマネージメントの技術に関するものである。
【０００２】
【従来の技術】
製版工程におけるカラーマネージメントの技術としてはＩＣＣ（Ｉｎｔｅｒｎａｔｉｏｎａｌ  Ｃｏｌｏｒ  Ｃｏｎｓｏｒｔｉｕｍ）プロファイルを用いたカラーマネージメントの技術が一般的である。
この技術では、画像の生成から出力に関わる各装置毎に、各装置の装置依存の色空間をたとえばＣＩＥ  Ｌａｂ／ＸＹＺなどのデバイス非依存の色空間上にマッピングするためデータをＩＣＣプロファイルとして作成し、このＩＣＣプロファイルを用いて、同じ画像に対して行う色表現が可能な限り同じとなるように、各装置において画像の色表現を行うものである。
【０００３】
一方、紙媒体への出力（印刷）においては、シアン（Ｃ）、マゼンダ（Ｍ）、イエロー（Ｙ）、黒（Ｋ）の４色（ＣＭＹＫ）のプロセスカラーを用いた出力が広く用いられている。そして、このようなＣＭＹＫによる色空間への画像マッピングの手法としては、ＧＣＲ（Ｇｒａｙ  Ｃｏｍｐｏｎｅｎｔ  Ｒｅｐｌａｃｅｍｅｎｔ）と呼ばれる手法が知られている。このＧＣＲは、色のグレイ成分を、予めグレイ濃度に対して定めた比率のＫとＣＭＹの混色で表現し、色の残りの成分をＣＭＹの組み合わせを用いて表現する技術であり、ＣＭＹＫによる色空間へのマッピングを行う装置において、どのような特性のＧＣＲを適用するかは当該装置のＩＣＣプロファイルの記述により予め一義的に定義される。なお、色のグレイ成分は、Ｋのみによって表現することもでき、ＣＭＹの混色によっても表現でき、ＣＭＹＫの混色によっても表現することもできる。そして、ＣＭＹＫの混色によって表現する場合において、ある強さのグレイ成分を表現することのできるＣＭＹとＫの濃度の組み合わせは単一ではない。すなわち、一定の条件を満たす複数のＣＭＹとＫの濃度の組み合わせによって同じ強さのグレイ成分を表現することができ、この場合において、ある強さのグレイ成分を表現するＣＭＹとＫの比率は、Ｋの比率を大きくするほどＣＭＹの比率が小さくなり、Ｋの比率を小さくするほどＣＭＹの比率が大きくなる。
【０００４】
なお、ある色のグレイ成分とは、その色がＣＭＹで表現されているものであれば、一般的には、ａを（１＋ａ）×Ｃ：Ｍ：Ｙの比率でＣＭＹを混色したときに色がグレイとなる係数とし、ＣＭＹの各値をＣｄ、Ｍｄ、Ｙｄとして、Ｃ＝（１＋ａ）×Ｍ＝（１＋ａ）×Ｙ＝ｂ、かつ、ｂ≦Ｃｄ、かつ、ｂ≦Ｍｄ／（１＋ａ）、かつ、ｂ≦Ｙｄ／（１＋ａ）を満たすｂの最大値をｂｍａｘとして、Ｃｄ、Ｍｄ、Ｙｄのうちの各ｂｍａｘの部分によって形成される成分である。なお、ａは、通常、０．２５程度である。
【０００５】
【発明が解決しようとする課題】
さて、ＧＣＲを適用してＣＭＹＫ空間へマッピングされたＣＭＹＫ４色表現の画像を印刷した印刷物の品質は、適用したＧＣＲの特性によって異なったものとなる他、画像自体の特性によっても異なるものとなる。
また、ＧＣＲを適用してＣＭＹＫ空間へマッピングされたＣＭＹＫ４色表現の画像の印刷における各色インキの消費量も適用したＧＣＲの特性によって異なるものとなる。すなわち、ＧＣＲにおけるグレイ成分の表現をＫの比率を大きくして行うものとすればＫのインクの消費量は増加してＣＭＹのインクの消費量は減少し、ＧＣＲにおけるグレイ成分の表現をＣＭＹの比率を大きくして用いて行うものとすればＫのインクの消費量は減少してＣＭＹのインクの消費量は増加する。
【０００６】
したがって、ある画像の印刷の際に、どのような特性のＧＣＲを適用するかは、出力装置の色表現特性のみならず、印刷する画像の特性や、印刷物に要求されてる画像品質や、各色インク消費量による経済性などに応じて決定していくことが望ましい。
【０００７】
そこで、ＣＭＹＫ各色毎の色版への画像の分解出力を行うプレートセッタなどの出力装置においてＧＣＲの特性を適宜切り替えて画像の色分解出力を行うようにすることが考えられるが、このようにすると、出力装置毎の色分解特性の相違によって出力結果にばらつきがでるという問題がある。また、通常工程の上流で考慮決定されるＧＣＲ特性を、工程の下流端に近い出力装置において適用するために、工程間の各画像の管理が煩雑化してしまい、また、ＧＣＲ特性の操作結果の上流側へのフィードバックや、ＧＣＲ特性の操作に関するナレッジの共有化も困難化することになる。
【０００８】
そこで、本発明は、ＧＣＲ等の、複数色の混色によるグレイ成分の表現をＫによるグレイ成分の表現へ置換する変換の特性の制御をハンドリング容易な形態において行うことのできる製版システムを提供することを課題とする。
【０００９】
【課題を解決するための手段】
前記課題達成のために、本発明は、ドキュメントのＣＭＹＫ各色の色版を出力する製版システムに、ページ記述言語で記述された前記ドキュメントのページレイアウトを示すドキュメントデータをＣＭＹＫ各色へ色分解して、前記ドキュメントのＣＭＹＫ各色毎の色版を出力する出力装置と、前記出力装置における出力を制御する製版サーバとを備え、前記製版サーバに、前記ドキュメントデータの出力の依頼を受け付ける出力依頼受入手段と、前記出力依頼受入手段が出力の依頼を受け付けたドキュメントデータに含まれる色表現データに対して、複数色の混色によるグレイ成分の表現をＫによるグレイ成分の表現へ変換する変換処理を施す変換手段と、前記変換手段が変換処理を施したドキュメントデータの前記出力装置における出力を制御する出力制御手段とを設けたものである。
このような製版システムによれば、複数の出力装置を設けて、各出力装置においてそれぞれ個別に、混色によるグレイ成分の表現をＫによるグレイ成分の表現への変換を行うようにする場合に比べ、出力結果にばらつきがでることを抑制することができる。また、出力装置が、このような変換の機能を備えていない場合においても適用することができる。
また、このような複数色の混色によるグレイ成分の表現のＫによるグレイ成分の表現への変換の特性は、製版サーバ上において統一的に管理することができるので、当該変換操作の結果に応じたフィードバックが容易となり、また、当該変換に関するナレッジの共用化が図られる。
【００１０】
また、前記課題達成のために、本発明は、前記変換手段として、前記出力依頼受入手段が出力の依頼を受け付けたドキュメント構成要素に対してドキュメント構成要素の種類に応じて選択的に、ドキュメント構成要素の色表現データに対するＧＣＲ（Ｇｒａｙ  Ｃｏｍｐｏｎｅｎｔ  Ｒｅｐｌａｃｅｍｅｎｔ）処理を施すＧＣＲ手段を設けた製版システムも提供する。
【００１１】
また、前記課題達成のために、前記変換手段として、前記出力依頼受入手段が出力の依頼を受け付けたドキュメント構成要素に対してドキュメント構成要素の種類に応じて選択的に、所定のＧＣＲ（Ｇｒａｙ  Ｃｏｍｐｏｎｅｎｔ  Ｒｅｐｌａｃｅｍｅｎｔ）特性を有するカラースペース変換を施す他の所定の特性を有するカラースペース変換とのいずれかを施すカラースペース変換手段を設けた製版システムも提供する。
【００１２】
これらのような製版システムによれば、製版サーバにおいて各色版への色分解前のドキュメントデータのドキュメント構成要素に対して、そのドキュメント構成要素の種類に応じて、複数色の混色によるグレイ成分の表現のＫによるグレイ成分の表現への変換（たとえば、ＧＣＲやＵＣＲ）を施すので、各ドキュメント構成要素に対して、そのドキュメント構成要素の種類に応じた適切な品質向上のための処置（たとえば、混色によるグレイ成分の表現のＫによるグレイ成分の表現への変換の有無）を決定して適用することができるようになる。
【００１３】
また、本発明は、前記課題達成のために、ドキュメントのＣＭＹＫ各色の色版を出力する製版システムに、ドキュメントを表すドキュメントデータに基づき前記ドキュメントのＣＭＹＫ各色毎の色版を出力する１または複数の出力装置と、前記出力装置における出力を制御する製版サーバとを備え、前記製版サーバに、同じ前記出力装置に対応づけて設けられた、複数色の混色によるグレイ成分の表現をＫによるグレイ成分の表現へ変換する変換の変換特性として、各々異なる変換特性が定義された複数のホットフォルダと、前記各ホットフォルダに格納されたドキュメントデータに対して、当該ホットフォルダに定義されている変換特性に従って、複数色の混色によるグレイ成分の表現をＫによるグレイ成分の表現へ変換する変換処理を施す変換手段と、前記変換手段が変換処理を施したドキュメントデータの、当該ドキュメントデータが格納された前記ホットフォルダに対応づけられた前記出力装置における出力を制御する出力制御手段とを備えたものである。
【００１４】
また、本発明は、前記課題達成のために、同じ前記出力装置に対応づけて設けられた複数のホットフォルダに各々異なるＧＣＲ特性を定義することにより各ホットフォルダに各々異なる前記変換特性を定義するようにし、かつ、前記変換手段として、前記ホットフォルダに格納されたドキュメントデータに対して、当該ホットフォルダに定義されているＧＣＲ特性を用いたＧＣＲ処理を施すＧＣＲ手段を設けた製版システムも提供する。
【００１５】
また、本発明は、さらに、同じ前記出力装置に対応づけて設けられた複数のホットフォルダに各々異なるＧＣＲ特性を用いたＣＭＹＫ色空間へのカラースペース変換を規定するカラープロファイルを定義することにより各ホットフォルダに各々異なる前記変換特性を定義するようにし、かつ、前記変換手段として、前記ホットフォルダに格納されたドキュメントデータに対して、当該ホットフォルダに定義されているカラープロファイルに従ったカラースペース変換を施すカラースペース変換手段を設けた製版システムも提供する。
【００１６】
これらのような製版システムによれば、ユーザは、ドキュメントデータを転送するホットフォルダを選択するだけで、ＣＭＹＫ各色の色版生成に用いる、複数色の混色によるグレイ成分の表現をＫによるグレイ成分の表現へ変換する変換の変換特性（たとえば、ＧＣＲ特性やＵＣＲ特性）を制御することができるようになる。すなわち、ユーザは、ドキュメントデータを転送するホットフォルダを選択するだけで、印刷対象となるドキュメントの画像としての特性に応じて最適な変換特性を選択したり、印刷結果の画像品質よりも経済性を優先するものについては、比較的安価なＫインクの使用量が大きくなり比較的高価なＣＭＹインクの使用量が小さくなる変換特性を選択したりすることができるようになる。
また、併せて本発明は、ページ記述言語で記述されたドキュメントのページレイアウトを示すドキュメントデータに基づいて前記ドキュメントのＣＭＹＫ各色毎の色版を出力する製版方法であって、ドキュメントデータに含まれるＣＭＹＫによる色表現データに対して、複数色の混色によるグレイ成分の表現のＫによるグレイ成分への表現の変換を施すステップと、前記変換を施したドキュメントデータに基づいて前記ドキュメントのＣＭＹＫ各色毎の色版を出力するステップとを有する製版方法を提供する。
このような製版方法によれば、出力する色版と同じＣＭＹＫで色表現されているためにＵＣＲやＧＣＲなどのグレイ成分の表現の変換が行われることのなかったＣＭＹＫコンポジットの画像データについても、ＵＣＲやＧＣＲなどによる複数色の混色によるグレイ成分の表現のＫによるグレイ成分への表現の変換を行うことができるようになる。
また、さらに本発明は、併せて、ページ記述言語で記述されたドキュメントのページレイアウトを示すドキュメントデータをＣＭＹＫ各色へ色分解して、前記ドキュメントのＣＭＹＫ各色毎の色版を出力する色製版方法であって、前記ドキュメントデータが示すドキュメント構成要素に対してドキュメント構成要素の種類に応じて選択的に、ドキュメント構成要素の色表現データに対する複数色の混色によるグレイ成分の表現のＫによるグレイ成分の表現への変換を施すステップと、前記変換を施したドキュメントデータに基づいて前記ドキュメントのＣＭＹＫ各色毎の色版を出力するステップとを有することを特徴とする製版方法も提供する。
このような製版方法によれば、ドキュメントデータが示すドキュメント構成要素に対して、そのドキュメント構成要素の種類に応じて、複数色の混色によるグレイ成分の表現のＫによるグレイ成分の表現への変換を施すので、各ドキュメント構成要素に対して、そのドキュメント構成要素の種類に応じた適切な品質向上のため処置（たとえば、混色によるグレイ成分の表現のＫによるグレイ成分の表現への変換の有無）を決定して適用することができるようになる。
【００１７】
【発明の実施の形態】
以下、本発明の実施形態について説明する。
図１に本実施形態に係る製版システムの構成を示す。
図示するように製版システムは、印刷原稿を作成するＤＴＰ端末１と、ワークサーバ２と、ラスタライズ装置３と、出力装置４と、ドキュメントのページに配置する要素であるドキュメント構成要素として使用可能なＥＰＳ形式などによる画像が蓄積された画像データベース５と、各装置を接続するネットワーク６とを有する。ＤＴＰ端末１は、たとえば、ＤＴＰソフトウエアが稼働するパーソナルコンピュータや、スキャナシステムなどの画像入力システムであり、ＰＳ（ＰｏｓｔＳｃｒｉｐｔ）やＰＤＦ（Ｐｏｒｔａｂｌｅ  Ｄｏｃｕｍｅｎｔ  Ｆｏｒｍａｔ）などのページ記述言語によりドキュメントのページのページレイアウトを記述した色分解されていないコンポジットなドキュメントデータをワークサーバ２にネットワーク６を介して転送し、その出力をワークサーバ２に要求する装置である。また、ワークサーバ２は、出力を要求された各ドキュメントデータに所定の前処理を施した上で、ラスタライズ装置３に出力する装置である。そして、ラスタライズ装置３は、たとえば、ＲＩＰ（Ｒａｓｔｅｒ  Ｉｍａｇｅ  Ｐｒｏｃｅｓｓｏｒ）装置であり、ページ記述言語によるドキュメントデータをラスタライズしラスタ形式の画像に展開する装置である。また、出力装置４は、たとえば、ＣＴＰ装置やＣＴＦ装置などであり、ラスタライズ装置３が展開した画像をＣＭＹＫ各色毎の色版や、ＣＭＹＫ各色毎のフィルムとして色分解出力する装置である。
【００１８】
ここで、ＤＴＰ端末１からワークサーバ２に送られるドキュメントデータはページ記述言語により各ページを記述したドキュメントのデータファイルであり、ドキュメントの各ページには、キャラクタコードやフォントや色データや他の制御データによって、その画像が定義される文字、ベクトル形式の形状データや色データや他の制御データによって、その画像が定義される図形、各ピクセルの色データと他の制御データによって、その画像が定義されるラスタ形式の画像等（たとえば画像データベース５に格納されている画像）を含めることができる。
【００１９】
以下、このような製版システムにおけるワークサーバ２の詳細について説明する。
図２に、ワークサーバ２の内部構成を示す。
図示するように、ワークサーバ２は、各々ディレクトリである複数のホットフォルダ２０よりなるホットフォルダ群２１、ホットフォルダマネージャ２２、ホットフォルダプロパティデータベース２３、ホットフォルダプロパティ編集部２４、カラープロファイルデータベース２５、カラープロファイル編集部２６とを有する。
【００２０】
そして、ホットフォルダマネージャ２２は、ジョブ制御部２２１と、各々異なる処理をドキュメントに対して施す複数の処理部とを有する。本実施形態では、この処理部として、カラースペース変換処理部２２２と、出力処理部２２３とを設けている。
【００２１】
ただし、以上のワークサーバ２は、たとえば、ＣＰＵや、主記憶や、ハードディスクなどの外部記憶装置、ネットワーク６を介した通信を制御する通信制御装置、キーボードやポインティングデバイスなどの入力装置、表示装置などを備えた、一般的な構成を有する電子計算機であってよい。この場合、以上の各部は、ＣＰＵが主記憶に外部記憶装置等から、プログラムをロードし実行することにより電子計算機上に形成されるプロセスまたは記憶領域として実現される。
【００２２】
次に、カラープロファイルデータベース２５と、ホットフォルダプロパティデータベース２３の内容について説明する。
まず、カラープロファイルデータベース２５の内容について示す。
図３ａに示すように、カラープロファイルデータベース２５には、出力装置毎に設けたカラープロファイルデータテーブルが格納される。そして、各カラープロファイルデータテーブルには、その出力装置４について用いることのできるカラープロファイルが複数格納される。カラープロファイルとしては、その出力装置４の標準のＩＣＣプロファイルを格納することができる他、複数の墨濃度レベルを標準とは異なるレベルに操作するために設けたＩＣＣプロファイルを格納することができる。ただし、墨濃度レベルを標準とは異なるレベルに操作するために設けた各ＩＣＣプロファイルは、標準ＩＣＣプロファイルとは異なるＧＣＲ特性によるカラースペース変換（ガモットマッピング）を規定するＩＣＣプロファイルである。以下では、便宜上、標準のＩＣＣプロファイルを標準ＩＣＣプロファイルと、墨濃度レベルを標準とは異なるレベルに操作するために設けたＩＣＣプロファイルをＧＣＲ操作用ＩＣＣプロファイルと呼ぶ。
【００２３】
ここで標準ＩＣＣプロファイルは、従来と同様のＩＣＣプロファイルである。一方、ＧＣＲ操作用ＩＣＣプロファイルは、標準ＩＣＣプロファイルが規定するカラースペース変換に比べ、Ｋを多く用いてグレイ成分を表現するＧＣＲ特性を有するカラースペース変換を規定するものや、逆に、Ｋを少なく用いてグレイ成分を表現するＧＣＲ特性を有するカラースペース変換を規定するものを設けることができる。
【００２４】
図４は、標準ＩＣＣプロファイル及びＧＣＲ操作用ＩＣＣプロファイルに規定されるＧＣＲ特性の例を示したものである。
図中ａが、標準ＩＣＣプロファイルのＧＣＲ特性を、ｂが第１のＧＣＲ操作用ＩＣＣプロファイルのＫを多く用いてグレイ成分を表現するＧＣＲ特性を、ｃが第２のＧＣＲ操作用ＩＣＣプロファイルのＫを少なく用いてグレイ成分を表現するＧＣＲ特性を示したものである。
【００２５】
図示するように、ｂはａに比べ比較的明度の高いグレイからＫを用いてグレイ成分の表現を開始するものとなっており、ｃはａに比べ比較的明度の低いグレイからＫを用いてグレイ成分の表現を開始するものとなっている。また、同じ明度のグレイに対してｂはａに比べＫの使用量が大きく（したがってＣＭＹの使用量が少なく）なっており、同じ明度のグレイに対してｃはａに比べＫの使用量が小さく（したがってＣＭＹの使用量が多く）なっている。ただし、Ｋの使用量が印刷用紙その他の条件より定まる使用リミットに達する明度より明度が小さいグレイに対しては、いずれのカラープロファイルにおいてもＫの使用量は同じとなる。
【００２６】
さて、このようなＧＣＲ操作用ＩＣＣプロファイルは、カラープロファイル編集部２６がユーザ操作に応じて編集し、カラープロファイルデータテーブルに格納する。
次に、ホットフォルダプロパティデータベース２３の内容について説明する。
図３ｂに示すように、ホットフォルダデータベースには、ホットフォルダ毎に設けたホットフォルダプロパティレコードが格納される。
各ホットフォルダプロパティレコードには、そのホットフォルダに格納されたドキュメントデータにどのような処理を施すかを指定する指定処理と、施す処理の詳細を指定する処理パラメータとを格納することができる。
ここで、図２に示すように、本実施形態ではホットフォルダ２０として、カラースペース変換用のホットフォルダ群２１１と、出力装置４への出力用のホットフォルダ群２１２とを設けている。
そして、図３ｃに示すように、カラースペース変換用の各ホットフォルダのホットフォルダプロパティレコードには、指定処理としてカラースペース変換が記述され、処理パラメータとしてはカラースペース変換に用いるカラープロファイルを指定するカラープロファイル識別子と、カラースペース変換処理後のドキュメントデータの出力先を指定する出力先識別子などを記述する。ここでカラープロファイル識別子で指定するカラープロファイルは、カラープロファイルデータベース２５に格納されているいずれかの標準ＩＣＣプロファイル又はＧＣＲ操作用ＩＣＣプロファイルである。また、出力先識別子で指定する、ＧＣＲ処理後のドキュメントデータの出力先は、出力装置４への出力用のホットフォルダである。
【００２７】
一方、出力装置４への出力用のホットフォルダには、図中ｄに示すように、指定処理として出力装置４への出力が記述され、処理パラメータとしてはドキュメントデータの出力先の出力装置４で出力するドキュメントデータのラスタライズを行うラスタライズ装置３を示す出力装置識別子や、出力装置４における色版の出力部数などが記述される。
【００２８】
ここで、以上のような各ホットフォルダのホットフォルダプロパティレコードは、ホットフォルダプロパティ編集部２４がユーザ操作に応じて編集し、ホットフォルダプロパティデータベース２３に格納する。このとき、ホットフォルダプロパティ編集部２４は、出力装置４毎に設けたカラープロファイルデータテーブルに基づいて、ユーザが、カラースペース変換用のホットフォルダに対して処理パラメータとして指定するカラープロファイルの検索を、出力装置４をキーとして検索できるようにする。
【００２９】
次に、図２のホットフォルダマネージャ２２の動作について説明する。
ホットフォルダマネージャ２２のジョブ制御部２２１は、各ホットフォルダのドキュメントデータの格納状況を監視する。そして、ホットフォルダに格納された各ドキュメントデータに対して、そのホットフォルダのホットフォルダプロパティレコードに記述された指定処理と処理パラメータに従った処理を施す。
【００３０】
すなわち、カラースペース変換用のホットフォルダに格納されているドキュメントデータに対しては、処理パラメータのカラープロファイル識別子が示す標準ＩＣＣプロファイル又はＧＣＲ操作用ＩＣＣプロファイルをカラープロファイルデータベース２５から読み出し、カラースペース変換処理部２２２に、読み出したカラープロファイルに従ったドキュメントデータのカラースペース変換を施させ、処理パラメータの出力先識別子で指定された出力先に出力させる。
【００３１】
なお、このカラースペース変換処理では、ドキュメントデータの色表現が装置依存の色空間上のものである場合には、ドキュメントデータに含まれる又はドキュメントデータで指定されるドキュメントデータ自身（ＤＴＰ端末側）のガモットを表すＩＣＣプロファイルも使用することになる。すなわち、この場合には概念的には、ドキュメントデータ自身のＩＣＣプロファイルを用いてドキュメントデータの色表現を装置非依存の色空間上の色表現へカラースペース変換し、変換後のドキュメントデータの色表現を読み出したカラープロファイルに従ってＣＹＭＫによる色空間上の色表現にカラースペース変換することになる。
【００３２】
ここで、カラースペース変換処理部２２２で行うカラースペース変換処理では、ドキュメントデータが示すドキュメントの各ページに含まれる、文字、ベクトル形式の図形、ラスタ形式の画像などの各ドキュメント構成要素の色データを、その色のグレイ成分を読み出したカラープロファイルで規定されるカラースペース変換のＧＣＲ特性に従ってＫとＣＭＹの混色として表現したＣＭＹＫデータに変換する。ただし、ドキュメントデータに含まれるドキュメント構成要素の内、その色データが既にＣＭＹＫデータであるものについては、グレイ成分を表現するドキュメントデータのＣＭＹＫデータ中のＫの比率が、そのグレイ成分を読み出したカラープロファイルに従って表現したＣＭＹＫデータ中のＫの比率より小さい場合にのみ、読み出したカラープロファイルに従ったＧＣＲを施すようにしても良い。また、ドキュメントデータに含まれるドキュメント構成要素の種類に応じて、そのドキュメント構成要素に対して読み出したカラープロファイルで規定されるカラースペース変換を施すかどうかを切り替えるようにしてもよい。たとえば、グレイの画像またはグレイの対象を表現している画像や文字などに対しては、別途定めておいたＧＣＲを用いないカラースペース変換を施し、カラーの画像等に対してはカラープロファイルで規定されるカラースペース変換を施すようにしても良い。このようにすることにより、たとえば影を表現しているグレイの画像がＧＣＲの適用により混色によって墨が甘く表現されてしまうことを防ぐことができる。
【００３３】
なお、このカラースペース変換の処理は色分解を行うものではなく、コンポジットなドキュメントデータに記述されている色データの記述をカラースペース変換後のＣＹＭＫデータの記述に書き換えることに行う。したがって、処理パラメータの出力先識別子で指定された出力先への出力はコンポジットなドキュメントデータである。
【００３４】
また、カラースペース変換処理部２２２で行うカラースペース変換処理では、ドキュメントデータによってページに組み込むことが指定されているラスタ形式の画像のグラフィックファイル等に対しても、同様に色データの、読み出したカラープロファイルに従ったＣＭＹＫデータへの変換を行う。変換後の色分解されていないコンポジットなラスタ形式の画像データ等は、ドキュメントデータに組み入れるようにしても良いし、そのままドキュメントデータによってページに組み込むグラフィックファイル等として保存しておくようにしても良い。
【００３５】
さて、このようなカラースペース変換用のホットフォルダに格納されたドキュメントデータに対する処理の結果、出力装置４への出力用のホットフォルダにはカラースペース変換処理後のコンポジットなドキュメントデータが格納される。そして、この出力用のホットフォルダに格納されたドキュメントデータに対して、ジョブ制御部２２１は、出力処理部２２３に、当該出力用のホットフォルダのホットフォルダプロパティテーブルの処理パラメータの出力装置識別子で指定されたラスタライズ装置３に、当該ドキュメントデータを出力する処理を行わせる。なお、このとき、ドキュメントデータによってページに組み込むことが指定されているグラフィックファイルのラスタ形式の画像のデータも、ドキュメントデータと共にラスタライズ装置３に転送され、ラスタライズ装置３において、このラスタ形式の画像を含んだドキュメントのページがラスタ形式の画像に展開されることになる。
【００３６】
さて、以上のようなワークサーバ２において、本実施形態では、カラースペース変換用ホットフォルダと、出力装置４への出力用のホットフォルダとして、図５ａに示すような関係を持つホットフォルダを設けている。
すなわち、出力装置４のうちの一つの出力装置Ａへの出力用の一つのホットフォルダに対して、当該出力用のホットフォルダを出力先とする複数のカラースペース変換用のホットフォルダを設け、これら複数のカラースペース変換用のホットフォルダに対して、同じ出力装置４（一つの出力用のホットフォルダと当該出力用のホットフォルダの処理パラメータで指定される一つのラスタライズ装置Ａを介してドキュメントデータが送られることになる出力装置Ａ）のカラープロファイルデータテーブルに登録された異なるカラープロファイル（標準ＩＣＣプロファイル又はＧＣＲ操作用ＩＣＣプロファイル）を各々のホットフォルダプロパティレコードの処理パラメータで割り当てている。
【００３７】
したがって、ＤＴＰ端末１のユーザは、ドキュメントデータを転送するカラースペース変換用のホットフォルダを選択するだけで、ＣＭＹＫ各色の印刷版生成に用いるＧＣＲ特性を制御することができるようになる。すなわち、ユーザは、たとえば、印刷対象となるドキュメントの画像としての特性に応じて最適なＧＣＲ特性を選択したり、印刷結果の画像品質よりも経済性を優先するものについては、比較的安価なＫインクの使用量が大きくなり比較的高価なＣＭＹインクの使用量が小さくなるＧＣＲ特性を選択したりすることを容易に行うことができるようになる。
【００３８】
また、ワークサーバ２において各色版への分解前のドキュメントデータに対して統一的にＧＣＲを施すようにしているので、出力装置４において出力装置毎にＧＣＲを行うようにする場合に比べ、出力結果にばらつきがでることを抑制することができる。また、出力装置４やラスタライズ装置３が、ＧＣＲを行う機能を備えていない場合においてもＧＣＲ処理を適用することができる。
【００３９】
また、このようなＧＣＲ操作に関するナレッジはワークサーバ２のカラープロファイルデータベース２５の形態で統一的に蓄積されるので、ＧＣＲ操作の結果に応じたフィードバックが容易となり、また、ＧＣＲに関するナレッジの共用化が図られる。
また、ワークサーバ２においてドキュメントまたはドキュメント構成要素にＧＣＲを適用するようにしたことにより、画像データベース５に本システム適用前の印刷に用いたＣＭＹＫコンポジットの画像データが蓄積されている場合においても、このＣＭＹＫコンポジットの画像データを、他のドキュメント要素と同様にＧＣＲが適用されるドキュメント要素として用いることができるようになる。
【００４０】
なお、以上の実施形態において図５ａに示したホットフォルダの構成は、図５ｂに示すように、カラースペース変換用のホットフォルダと出力用のホットフォルダを、ホットフォルダプロパティレコードに指定処理としてカラースペース変換と出力の双方を記述した一つのホットフォルダとして構成するようにしても良い。また、以上の実施形態において、出力装置毎に設けたカラープロファイルデータテーブルは、複数の出力装置４について同じカラープロファイルデータテーブルを共通に用いるようにしても良い。また、カラープロファイルデータテーブルの形態で各出力装置毎のカラープロファイルの管理を行わずに、各カラープロファイルを個別にファイル等の形態で格納しておくようにしても良い。
【００４１】
また、以上の実施形態において、ドキュメントデータのＣＹＭＫ各色毎の色版への分解はラスタライズ装置３でラスタライズを行う際に行うようにしても良く、また、ワークサーバ２とラスタライズ装置３は、これを単一の装置として構成するようにしても良い。
【００４２】
また、以上の実施形態において、ＧＣＲに代えてＵＣＲ（Ｕｎｄｅｒ  Ｃｏｌｏｒ  Ｒｅｍｏｖａｌ）を用いるようにすることもできる。この場合には、カラープロファイルデータベース２５のカラープロファイルデータテーブルに格納する、対応する出力装置４について用いる複数のカラープロファイルとしては、各々ＵＣＲの特性の異なるカラープロファイルを格納するようにする。また、カラースペース変換処理部２２２は、ドキュメントデータが格納されていたホットフォルダに定義されたカラープロファイルに従ったＵＣＲ特性によるＵＣＲを含むカラースペース変換処理を行うようにする。
【００４３】
また、以上の実施形態においては、ＧＣＲやＵＣＲ以外の、複数色の混色によるグレイ成分の表現のＫによるグレイ成分の表現への変換法を用いるようにしても良い。
【００４４】
【発明の効果】
以上のように、本発明によれば、ＧＣＲ等の、複数色の混色によるグレイ成分の表現をＫによるグレイ成分の表現へ置換する変換の特性の制御をハンドリング容易な形態において行うことのできる製版システムを提供することができる。
【図面の簡単な説明】
【図１】本発明の実施形態に係る製版システムの構成を示すブロック図である。
【図２】本発明の実施形態に係るワークサーバの構成を示すブロック図である。
【図３】本発明の実施形態に係るカラープロファイルデータベースとホットフォルダプロパティデータベースの内容を示す図である。
【図４】本発明の実施形態において用いるＧＣＲ特性の例を示す図である。
【図５】発明の実施形態に係るワークサーバに備えるホットフォルダの構成例を示すブロック図である。
【符号の説明】
１：ＤＴＰ端末、２：ワークサーバ、３：ラスタライズ装置、４：出力装置、５：画像データベース、６：ネットワーク、２２：ホットフォルダマネージャ、２３：ホットフォルダプロパティデータベース、２４：ホットフォルダプロパティ編集部、２５：カラープロファイルデータベース、２６：カラープロファイル編集部、２２１：ジョブ制御部、２２２：カラースペース変換処理部、２２３：出力処理部。
【図１】
2004179843.tif 000003
【図２】
2004179843.tif 000004
【図３】
2004179843.tif 000005
【図４】
2004179843.tif 000006
【図５】
2004179843.tif 000007